(57)【要約】【課題】ユーザの属性情報に応じた情報を表示することで、効率的な商業・営業活動を行うことを可能とする情報提示装置を提供する。【解決手段】本発明の情報提示装置は、携帯情報端末に内蔵される非接触データキャリアに記憶されるデータを読み取る非接触データキャリアリーダー部５９と、携帯情報端末に内蔵される撮像部によって撮像されるバーコードを表示するホログラフィック高分子分散液晶表示部５７と、非接触データキャリアリーダー部５９によって読み取られたデータに応じてホログラフィック高分子分散液晶表示部５７に表示するバーコードを変更する情報処理部（ＣＰＵ、ＲＯＭ、ＲＡＭなど）と、を有することを特徴とする。【選択図】      図２
2010044697.tif 000002
【特許請求の範囲】
【請求項１】
所定のデータを読み取るデータ読み取り手段と、
前記データ読み取り手段によって読み取られたデータに応じたコード情報を選定するコード情報選定手段と、
前記コード情報選定手段によって選定されたコード情報を表示する表示手段と、を有することを特徴とする情報提示装置。
【請求項２】
前記コード情報が２次元バーコードであることを特徴とする請求項１に記載の情報提示装置。
【請求項３】
前記表示手段がホログラフィック高分子分散液晶によるものであることを特徴とする請求項１又は請求項２に記載の情報提示装置。
【請求項４】
携帯情報端末に記憶されるデータを読み取るデータ読み取り手段と、
携帯情報端末の撮像部によって撮像されるコード情報を表示する表示手段と、
前記データ読み取り手段によって読み取られたデータに応じて前記表示手段に表示するコード情報を変更する処理手段と、を有することを特徴とする情報提示システム。
【請求項５】
前記コード情報が２次元バーコードであることを特徴とする請求項４に記載の情報提示システム。
【請求項６】
前記表示手段がホログラフィック高分子分散液晶によるものであることを特徴とする請求項４又は請求項５に記載の情報提示システム。
【発明の詳細な説明】
【技術分野】
【０００１】
本発明は、２次元バーコードなどのコード情報が指定するＵＲＬなどにユーザを誘導して所定の商業・営業活動を行う情報提示装置及び情報提示システムに関する。
【背景技術】
【０００２】
従来、２次元バーコードなどのコード情報を印刷物に印刷しておき、このコード情報をユーザ所有の携帯情報端末で撮影してもらい、コード情報が指定するＵＲＬなどにユーザを誘導して所定の商業・営業活動を行うシステムが知られている。
【０００３】
例えば、特許文献１（特開２００５−２５０９２２号公報）には、例えばポスターや雑誌などの印刷物に掲載されている消費者向けのプレゼントキャンペーンなどに応募する際に利用する応募システムが開示されている。
【特許文献１】特開２００５−２５０９２２号公報
【発明の開示】
【発明が解決しようとする課題】
【０００４】
従来のシステムにおいては、１種類の２次元バーコードに対し、不特定のユーザにアクセスしてもらうことによって情報等を提示するものであったので、ユーザの属性情報に応じた情報を適宜提供することができない、という問題があった。より具体的は、従来のシステムは、ユーザそれぞれに応じて興味の対象などが異なるにもかかわらず、その興味に応じた情報を適宜提供することができず、必ずしも効率的な商業・営業活動を行うものではない、という問題があった。
【課題を解決するための手段】
【０００５】
本発明は以上のような課題を解決するためのものであり、ユーザが興味を示しそうな情報、ユーザのステイタスに応じた情報を適宜提供することを可能とする装置及びシステムであり、請求項１に係る発明は、所定のデータを読み取るデータ読み取り手段と、前記データ読み取り手段によって読み取られたデータに応じたコード情報を選定するコード情報選定手段と、前記コード情報選定手段によって選定されたコード情報を表示する表示手段と、を有することを特徴とする情報提示装置である。
【０００６】
また、請求項２に係る発明は、請求項１に記載の情報提示装置において、前記コード情報が２次元バーコードであることを特徴とする。
【０００７】
また、請求項３に係る発明は、請求項１又は請求項２に記載の情報提示装置において、前記表示手段がホログラフィック高分子分散液晶によるものであることを特徴とする。
【０００８】
また、請求項４に係る発明は、携帯情報端末に記憶されるデータを読み取るデータ読み取り手段と、携帯情報端末の撮像部によって撮像されるコード情報を表示する表示手段と、前記データ読み取り手段によって読み取られたデータに応じて前記表示手段に表示するコード情報を変更する処理手段と、を有することを特徴とする情報提示システムである。
【０００９】
また、請求項５に係る発明は、請求項４に記載の情報提示システムにおいて、前記コード情報が２次元バーコードであることを特徴とする。
【００１０】
また、請求項６に係る発明は、請求項４又は請求項５に記載の情報提示システムにおいて、前記表示手段がホログラフィック高分子分散液晶によるものであることを特徴とする
。
【発明の効果】
【００１１】
本発明の実施の形態に係る情報提示装置及び情報提示システムによれば、ユーザの属性情報に応じた情報を提供することによって、効率的な商業・営業活動を行うことを可能とする。
【発明を実施するための最良の形態】
【００１２】
以下、本発明の実施の形態を図面を参照しつつ説明する。図１は本発明の実施の形態に係る情報提示装置が利用される形態を説明する図である。図１において、１０は携帯情報端末、５０は情報提示装置、８０は無線基地局、９０は通信網、１００はホストサーバをそれぞれ示している。
【００１３】
本発明の情報提示装置は、例えば、デパートなどの入り口に設けられ、それぞれの顧客に応じた商品情報、クーポン情報、バーゲン情報などを適切に提示するために利用される装置である。このために、それぞれの顧客は携帯情報端末１０を用いて、自らのＩＤなどの情報を提示することが要求される。ここで、本発明の情報提示装置と共に用いられる携帯情報端末１０は、非接触データキャリアとカメラなどの撮像部とを備えた携帯電話などの利用が想定されている。
【００１４】
情報提示装置５０は、携帯情報端末１０に内蔵される非接触データキャリアを読み取る（１）ことによって、当該携帯情報端末１０の所有者の属性（例えば、当該デパートの会の会員の種別、性別、年齢など）を把握し、それに応じた情報を提示する（２）。このような情報提示においては、例えば、２次元バーコードを利用した表示を行う。顧客はこの２次元バーコードを撮像する（３）ことによって、情報の保存先であるＵＲＬを得、当該ＵＲＬにアクセスする（４）ことができる。携帯情報端末１０で２次元バーコードを撮像し、当該２次元バーコードのコード情報を解析することによってアクセス先のＵＲＬ情報等を得る技術は従来周知のものを用いることができる。
【００１５】
ホストサーバ１００は、上記のようなＵＲＬの指定でアクセスすることができるものであり、このホストサーバ１００のＵＲＬへのアクセスによって、顧客は可読な情報である商品情報、クーポン情報、バーゲン情報などを自らの携帯情報端末１０の表示画面に表示させることができる。本発明の情報提示装置は、概略、以上のような流れで携帯情報端末１０の所有者である顧客などにそれぞれの属性に応じた適切な情報を提示することができるようになっている。
【００１６】
次に、
図２は本発明の実施の形態に係る情報提示装置５０のブロック構成を示す図である。図２において、５１はＣＰＵ、５２はバス、５３はＲＯＭ、５４はＲＡＭ、５５は属性−コードデーターベース、５６は駆動部、５７はホログラフィック高分子分散液晶表示部、５８は通信制御部、５９は非接触データキャリアリーダー部をそれぞれ示している。
【００１７】
情報提示装置５０は、ＣＰＵ（中央処理装置）５１を搭載している。ＣＰＵ５１はバス５２を通じて装置内の各部と接続されている。このうちＲＯＭ５３はこの情報提示装置５０の各部を制御するためのプログラムを格納したリード・オンリ・メモリである。ＲＡＭ５４はプログラムを実行するときに必要となる一時的なデータおよび画像等を含んだ通信データを一時的に格納するランダム・アクセス・メモリである。
【００１８】
属性−コードデーターベース５５は、顧客の属性（例えば、当該デパートの会の会員の種別、性別、年齢など）と、表示部５７で表示する２次元バーコードとの対応関係を記憶
・保存するデータベースである。ここで、このような属性−コードデーターベース５５は、ホストサーバ１００からのデータダウンロードによって、適宜内容を変更可能に構成すると、顧客に提示する情報を期間毎に変更することができ利便性の高いものとなる。
【００１９】
駆動部５６はＣＰＵ５１などからの指令を受けて表示部５７における画像表示を制御するものである。また、このような駆動部５６によって、ホログラフィック高分子分散液晶表示部５７が表示動作を行い２次元バーコードが表示される。
【００２０】
通信制御部５８は、インターネットなどの通信網に接続し、情報の送受を可能とする構成であり、当該通信制御部５８経由で情報提示装置５０はホストサーバ１００から必要な情報を得ることができるようになっている。
【００２１】
また、非接触データキャリアには、例えばＦｅｌｉＣａ（登録商標）などを用いることができ、非接触データキャリアリーダー部５９はＦｅｌｉＣａ（登録商標）などを読み取ることが可能な周知のハードウエアを用いることができる。
【００２２】
次に、本実施形態の情報提示装置５０で用いる携帯情報端末１０についてより詳しく説明する図３は本発明の実施の形態に係る情報提示装置と共に用いる携帯情報端末の外観視を示す図であり、図４は本発明の実施の形態に係る情報提示装置と共に用いる携帯情報端末のブロック構成を示す図である。図３（Ａ）は携帯情報端末１０の一方の角度からの外観を斜視的に示す図であり、図３（Ｂ）は携帯情報端末１０の別の角度からの外観を斜視的に示す図である。いずれも、携帯情報端末１０のヒンジ構造が開放状態にあるものが示されている。
【００２３】
図３及び図４において、１０は携帯情報端末、１はＣＰＵ、２はバス、４はＲＡＭ、５は入力操作部、６は入力部、７は撮像部、８は音声制御部、９はマイクロフォン、１２はスピーカ、１４は表示制御部、１５はディスプレイ、１６は通信制御部、１７は非接触データキャリア部、１９はＧＰＳ受信部をそれぞれ示している。
【００２４】
図３は、本実施例で使用される携帯情報端末の外観の一例を示したものである。この携帯情報端末１０は２つの筐体をヒンジ機構によって折り畳むことができるタイプのものである。図３はこのような携帯情報端末１０のヒンジ機構を開いた状態を示しており、一方の筐体には、出力インターフェイスとしてディスプレイ１５及びスピーカ１２が配置されており、他方の筐体には、入力インターフェイスとして、十字キー、テンキーなどの入力操作部５及びマイクロフォン９が配置されている。
【００２５】
図４は図３に示した携帯情報端末の回路構成の概要を表わしたものである。携帯情報端末１０は、ＣＰＵ（中央処理装置）１を搭載している。ＣＰＵ１はバス２を通じて装置内の各部と接続されている。このうちＲＯＭ３はこの携帯情報端末１０の各部を制御するためのプログラムを格納したリード・オンリ・メモリである。ＲＡＭ４はプログラムを実行するときに必要となる一時的なデータおよび画像等を含んだ通信データを一時的に格納するランダム・アクセス・メモリである。携帯情報端末１０におけるＧＰＳ信号を受信して自らの位置を計算するＧＰＳ測位で携帯情報端末の位置情報を取得する機能、及び取得した位置情報を時間情報と対応させて保存しておくことにより移動速度情報を算出する機能を実現するためのプログラムはＲＯＭ３に記憶させておくこともできる。
【００２６】
入力操作部５は図４に示した他方の筐体の閉じ合わせる側の面に配置されたキースイッチ群から構成されている。入力操作部５の操作により発生した信号は入力部６を介してバス２に伝達されるようになっている。
【００２７】
音声制御部８は音声の入出力を行う回路で、マイクロフォン９から音声を入力すると共に、スピーカ１２から音声を出力するようになっている。表示制御部１４は、前記したディスプレイ１５の表示を制御するようになっている。通信制御部１６は、図１に示した無線基地局２０ａ、２０ｂ、２０ｃと無線で通信を行うになっている。ＧＰＳ受信部１９は複数のＧＰＳ衛星（不図示）からの電波を受信して携帯情報端末１０の現在位置を判別する装置である。
【００２８】
撮像部７は静止画像を取得することができるカメラなどであり、当該撮像部７によって情報提示装置５０の表示部５７で表示される２次元バーコードが撮影される。また、非接触データキャリア部１７は、例えばＦｅｌｉＣａ（登録商標）などの周知のものを用いることができ、この非接触データキャリア部１７によって、情報提示装置５０と非接触の通信を行い、携帯情報端末１０の所持者の属性情報等の送信を行うものである。
【００２９】
次に、ホログラフィック高分子分散液晶表示部５７で用いられるホログラフィック高分子分散液晶について説明する。図５及び図６は本発明の情報提示装置のホログラフィック高分子分散液晶表示部の原理を模式的に示す図である。図５はホログラフィック高分子分散液晶材料に電圧が印加されていない状態を、また図６は電圧が印加されている状態を示している。
【００３０】
図５及び図６に示されているように、ホログラフィック高分子分散液晶表示部５７は、硬化性樹脂６４中に液晶分子６３が収容されたドロップレット６２が配向された状態で配された構造を有している。この構造の両端を、図示するように透明電極６０、６０’、ガラス基板６１、６１’で挟持するようになし、透明電極６０、６０’に所定の電圧を印加したり、しなかったりすることによって液晶分子６３の状態を配向、非配向とする。
【００３１】
図５は透明電極６０、６０’に電圧を印加しない状態を示しており、このとき通常のホログラムとして回折された光が観察できる。また、図６は透明電極６０、６０’に電圧を印加した状態を示しており、このときホログラムの機能が失われ、光がそのまま透過する。
【００３２】
このような原理を用いたホログラフィック高分子分散液晶表示部５７によれば、２次元バーコードなどのための詳細なパターンの表示が可能となる。特に、ホログラフィック高分子分散液晶表示部５７は、特定の方向に対する視認性が良いように製造することが可能である。このような特定の方向からの視認性がよいという特性を生かすことによって、情報提示装置５０の設置場所に制限があり、携帯情報端末１０によって２次元バーコードを撮影する際の角度が正面からずれるような場合であっても、２次元バーコードを正確に撮影することが可能となる。
【００３３】
次に、携帯情報端末１０との交信によって、情報提示装置５０が取得するデータの例について説明する。図７は本発明の実施の形態に係る情報提示装置の非接触データキャリアが保持するデータ構造例を示す図である。非接触データキャリア部１７には、非接触データキャリアシステム全体として唯一無二のＩＤのほか種々の情報を記憶することが可能なものである。ここで、「ＡＢＣＤ−ＥＦＧＨ−０１２３−４５６７」が非接触データキャリア部１７のＩＤである。また、このほかの情報として、非接触データキャリア部１７の所有者の属性情報を記憶すること可能である。図７では、この属性情報としてＡＡＡデパートに関連するデータが記憶されている例について説明する。この属性情報としては、非接触データキャリア部１７の所有者の「ＡＡＡデパート会員番号」として「２３４５−５６７８−８９０１」が、「会員資格（０．特別、１．一般、２．準）」として「０（特別会員）」が、「性別（０．男性、１．女性）」として「１（女性）」が、「年齢（ＸＸ才）」として「２８」が記憶されているものとする。情報提示装置５０はこのような非接触
データキャリア部１７の属性情報を読み取ることによって、ユーザ（顧客）に応じた情報を提供することできるようになる。結果、情報提示装置５０によれば、効率的な商業・営業活動を行うことを可能とするものである。
【００３４】
次に、以上のように構成される情報提示装置５０の処理について説明する。図８は本発明の実施の形態に係る情報提示装置の処理のフローチャートを示す図である。
【００３５】
図８において、ステップＳ１００で情報提示装置５０の処理が開始されると、続いてステップＳ１０１において、リーダー部５９の交信可能範囲内にタグメモリが存在するか否かにかかわらず、非接触データキャリアリーダー部５９でポーリングを行う。
【００３６】
ステップＳ１０２では、上記のようなポーリング中に、交信可能範囲内にタグメモリが進入することによって、非接触データキャリア部１７のＩＤが受信されたか否かが判定される。ステップＳ１０２における判定結果がＮＯである場合には、ポーリングを再開すべくステップＳ１０１に戻る。
【００３７】
ステップＳ１０２における判定結果がＹＥＳである場合には、引き続きステップＳ１０４に進む。ステップＳ１０４においては、非接触データキャリア部１７のＩＤ情報に引き続いて、属性情報が受信されたか否かが判定される。
【００３８】
ステップＳ１０４における判定の結果がＮＯであるときにはステップＳ１０１に進み、ステップＳ１０４における判定の結果がＹＥＳであるときにはステップＳ１０５に進む。
【００３９】
ステップＳ１０５においては、属性−コードデーターベース５５を検索し、受信された属性情報に対応する２次元バーコード（ＵＲＬ指定先がコード化されたもの）が存在するかを検索する。
【００４０】
ステップＳ１０６においては、検索された２次元バーコードをホログラフィック高分子分散液晶表示部５７に表示し、再びステップＳ１０１に戻る。
【００４１】
ステップＳ１０３では、情報提示装置５０に対する終了要求があるか否かが判定される。ステップＳ１０３における判定の結果がＮＯであるときにはステップＳ１０１に戻り、ステップＳ１０３における判定の結果がＹＥＳであるときにはステップＳ１０７に進み、情報提示装置の処理を終了する。
【００４２】
以上のような情報提示装置５０の構成によれば、非接触データキャリア部１７において、「ＡＡＡデパート会員番号」として「２３４５−５６７８−８９０１」が、「会員資格（０．特別、１．一般、２．準）」として「０（特別会員）」が、「性別（０．男性、１．女性）」として「１（女性）」が、「年齢（ＸＸ才）」として「２８」が属性情報として記憶されているような場合、ＡＡＡデパートの特別会員であり、かつ２８才の女性に対するセールス情報や、クーポン情報などを提供することができるので、より効率的な商業・営業活動を行うことを可能とする。
【００４３】
次に、情報提示装置５０に上記のように2次元バーコードが表示された後、顧客（ユーザ）の携帯情報端末１０側で行う処理について説明する。図９は本発明の実施の形態に係る携帯情報端末の提示情報要求処理のフローチャートを示す図である。
【００４４】
図９において、ステップＳ２００で携帯情報端末１０の提示情報要求処理が開始される。次のステップＳ２０１では、撮像部７によって、情報提示装置５０の表示部５７の撮影を実行し、表示されている２次元バーコードの読み取りを行う。
【００４５】
ステップＳ２０２では、当該２次元バーコードをＵＲＬ情報に変換し、ステップＳ２０３で、当該ＵＲＬに対してアクセスを行う。
【００４６】
そして、ステップＳ２０４においては、アクセス先の情報を携帯情報端末１０に内蔵されるブラウザなどによって表示する。ステップＳ２０５で、提示情報要求処理を終了する。
【００４７】
なお、例えばステップＳ２０４においてブラウザに表示されるのは、ＡＡＡデパートの婦人向けお買い得品情報や、特別会員向けのクーポン情報などが想定される。
【００４８】
以上、本発明の情報提示装置によれば、ユーザ（顧客など）の属性情報に応じた情報を提供することによって、効率的な商業・営業活動を行うことを可能とする。
【００４９】
次に、本発明の他の実施形態について説明する。本実施形態に係る情報提示装置５０が、先の実施形態のものと異なる点は、２次元バーコードの表示を行う表示部の構成である。図１０は本発明の他の実施の形態に係る情報提示装置のブロック構成を示す図であり、図１１は本発明の他の実施の形態に係る情報提示装置の表示部の動作例を示す図である。先の実施形態と同じ参照番号が付された構成については、同様の構成を示している。
【００５０】
本実施形態においては、情報提示装置５０の２次元バーコードを表示する表示部７０は、穴部７４が設けられた穴あき板７３と、この穴あき板７３の背面に配設される２次元バーコード表示板７２と、当該２次元バーコード表示板７２を図１１の水平方向に駆動するアクチュエータなどの駆動機構部７１とから構成されている。駆動機構部７１はＣＰＵ５１からの指令信号に基づいて、２次元バーコード表示板７２を駆動し、２次元バーコード表示板７２に印刷された３種類のそれぞれ異なる２次元バーコードのいずれかを穴部７４から表示することができるようになっている。このような表示部７０の構成によれば、ユーザ（顧客など）の属性情報に応じた情報を、異なる２次元バーコードによって提供することができ、効率的な商業・営業活動を行うことを可能とする、という先の実施形態と同様の効果を得ることができる。
【図面の簡単な説明】
【００５１】
【図１】本発明の実施の形態に係る情報提示装置が利用される形態を説明する図である。
【図２】本発明の実施の形態に係る情報提示装置のブロック構成を示す図である。
【図３】本発明の実施の形態に係る情報提示装置と共に用いる携帯情報端末の外観視を示す図である。
【図４】本発明の実施の形態に係る情報提示装置と共に用いる携帯情報端末のブロック構成を示す図である。
【図５】本発明の情報提示装置のホログラフィック高分子分散液晶表示部の原理を模式的に示す図である。
【図６】本発明の情報提示装置のホログラフィック高分子分散液晶表示部の原理を模式的に示す図である。
【図７】本発明の実施の形態に係る情報提示装置の非接触データキャリアが保持するデータ構造例を示す図である。
【図８】本発明の実施の形態に係る情報提示装置の処理のフローチャートを示す図である。
【図９】本発明の実施の形態に係る携帯情報端末の提示情報要求処理のフローチャートを示す図である。
【図１０】本発明の他の実施の形態に係る情報提示装置のブロック構成を示す図である。
【図１１】本発明の他の実施の形態に係る情報提示装置の表示部の動作例を示す図である。
【符号の説明】
【００５２】
１・・・ＣＰＵ、２・・・バス、４・・・ＲＡＭ、５・・・入力操作部、６・・・入力部、７・・・撮像部、８・・・音声制御部、９・・・マイクロフォン、１０・・・携帯情報端末、１２・・・スピーカ、１４・・・表示制御部、１５・・・ディスプレイ、１６・・・通信制御部、１７・・・非接触データキャリア部、１９・・・ＧＰＳ受信部、５０・・・情報提示装置、５１・・・ＣＰＵ、５２・・・バス、５３・・・ＲＯＭ、５４・・・ＲＡＭ、５５・・・属性−コードデーターベース、５６・・・駆動部、５７・・・ホログラフィック高分子分散液晶表示部、５８・・・通信制御部、５９・・・非接触データキャリアリーダー部、６０、６０’・・・透明電極、６１、６１’・・・ガラス基板、６２・・・ドロップレット、６３・・・液晶分子、６４・・・硬化性樹脂、７０・・・表示部、７１・・・駆動機構部、７２・・・２次元バーコード表示板、７３・・・穴あき板、７４・・・穴部、８０・・・無線基地局、９０・・・通信網、１００・・・ホストサーバ
【図１】
2010044697.tif 000003
【図２】
2010044697.tif 000004
【図３】
2010044697.tif 000005
【図４】
2010044697.tif 000006
【図５】
2010044697.tif 000007
【図６】
2010044697.tif 000008
【図７】
2010044697.tif 000009
【図８】
2010044697.tif 000010
【図９】
2010044697.tif 000011
【図１０】
2010044697.tif 000012
【図１１】
2010044697.tif 000013